(57)【要約】【課題】部蛍光管の点灯を停止して省エネを図る場合に、従来に比して一段と簡易に省エネを図ることができるようにする。【解決手段】蛍光管の両端の棒状電極にそれぞれ挿通される第１及び第２のリング状の端子４、５を、弛みを持たせた被覆電線６により接続し、スプリング９を配置してこの弛みを解消する。【選択図】図２
2013089356.tif 000002
【特許請求の範囲】
【請求項１】
直管式の蛍光管の点灯を停止させる点灯停止器具であって、
前記蛍光管の一端に設けられた棒状電極を挿通する第１のリング状の端子と、
前記蛍光管の他端に設けられた棒状電極を挿通する第２のリング状の端子と、
前記一端及び他端の棒状電極をそれぞれ前記第１及び第２のリング状の端子に挿通した際に弛みの発生する長さであって、前記第１及び第２のリング状の端子を接続し、絶縁材により被覆された被覆電線と、
前記被覆電線に両端が接続されて、当該両端を引き寄せることにより、前記一端及び他端の棒状電極をそれぞれ前記第１及び第２のリング状の端子に挿通した際に前記被覆電線を弛ませないようにするスプリングとを備える
点灯停止器具。
【請求項２】
前記被覆電線は、
複数の結び目が作製され、
前記スプリングは、
両端が前記結び目を介して前記被覆電線に接続された
請求項１に記載の点灯停止器具。
【請求項３】
前記被覆電線が、半田メッキ撚線を絶縁体により被覆した電線であり、
前記第１及び第２のリング状の端子は、前記半田メッキ撚線をリング形状に加工して作製された
請求項１、又は請求項２に記載の点灯停止器具。
【請求項４】
請求項１、請求項２、又は請求項３に記載の点灯停止器具の装着により、直列に接続された２つの蛍光管の１つの点灯が停止される照明装置であって、
前記２つの蛍光管を駆動する駆動部と、
前記駆動部による駆動対象の異常を検出する異常検出部とを備え、
前記異常検出部は、
直列に接続された前記２つの蛍光管の端子電圧の監視により、前記駆動対象を判定し、
前記判定結果に基づいて、前記２つの蛍光管の１の点灯が前記点灯停止器具により停止されている場合と、前記２つの蛍光管の双方の点灯が停止されていない場合とで、判定基準を切り換え、
前記判定基準により前記駆動対象の異常を検出する
照明装置。
【発明の詳細な説明】
【技術分野】
【０００１】
本発明は、２つの蛍光管を直列接続してインバータ方式等により駆動する場合において、この２つの蛍光管の１方の点灯を停止させる点灯停止器具、この点灯停止器具により点灯を停止した場合の異常検出に関する。
【背景技術】
【０００２】
近年、インバータ方式により蛍光管を駆動する照明装置が種々に提供されている。このような照明装置では、直管式による２つの蛍光管を直列に接続し、この２つの蛍光管を１つの駆動回路で駆動するものが提供されている。
【０００３】
この方式の照明装置では、直列接続された２つの蛍光管の１つを短絡させると、明るさがほぼ１／２に低下するものの、電力消費をほぼ１／２に低減して省エネを図ることができる。そこで従来、内部で電極を短絡させたダミーの蛍光管が提供されており、２つの蛍光管を直列接続して１つの駆動回路で駆動する方式の場合には、この直列接続された２つの蛍光管の１つをダミーの蛍光管と交換して省エネを図ることができる。
【０００４】
このようなダミーの蛍光管の使用に関して、例えば特許第３７９９５６５号には、明るさを向上する工夫が提案されている。
【先行技術文献】
【特許文献】
【０００５】
【特許文献１】特許第３７９９５６５号
【発明の概要】
【発明が解決しようとする課題】
【０００６】
ところでこのようにして一部蛍光管の点灯を停止して省エネを図る場合に、従来に比して一段と簡易に省エネを図ることができれば、便利であると考えられる。
【０００７】
本発明は、以上の点を考慮してなされたもので、一部蛍光管の点灯を停止して省エネを図る場合に、従来に比して一段と簡易に省エネを図ることができる点灯停止器具及び照明装置を提案することを目的とする。
【課題を解決するための手段】
【０００８】
本発明者らは、外部配線により蛍光管の端子間を短絡させて通常の蛍光管をダミーの蛍光管として機能させる、との着想を見出し、本発明を完成するに至った。
【０００９】
（１）  直管式の蛍光管の点灯を停止させる点灯停止器具であって、
前記蛍光管の一端に設けられた棒状電極を挿通する第１のリング状の端子と、
前記蛍光管の他端に設けられた棒状電極を挿通する第２のリング状の端子と、
前記一端及び他端の棒状電極をそれぞれ前記第１及び第２のリング状の端子に挿通した際に弛みの発生する長さであって、前記第１及び第２のリング状の端子を接続し、絶縁材により被覆された被覆電線と、
前記被覆電線に両端が接続されて、当該両端を引き寄せることにより、前記一端及び他端の棒状電極をそれぞれ前記第１及び第２のリング状の端子に挿通した際に前記被覆電線を弛ませないようにするスプリングとを備えるようにする。
【００１０】
（１）によれば、一部蛍光管の点灯を停止して省エネを図る場合に、従来に比して一段と簡易に省エネを図ることができる。すなわち蛍光管の一端の棒状電極を第１のリング状の端子に挿通した後、スプリングの力に抗して他端の棒状電極を第２のリング状の端子に挿通するだけの作業により、蛍光管の径が種々に異なる場合であっても、蛍光管を短絡させることができる。またこのスプリングによる張力により、被覆電線を蛍光管の側面に密着して沿うように配置することができ、蛍光管の装着に邪魔にならないようにすることができる。
【００１１】
（２）  （１）において、
前記被覆電線は、
複数の結び目が作製され、
前記スプリングは、
両端が前記結び目を介して前記被覆電線に接続される。
【００１２】
（２）によれば、スプリングの配置に係る構成を簡略化することができる。
【００１３】
（３）  （１）又は（２）において、
前記被覆電線が、半田メッキ撚線を絶縁体により被覆した電線であり、
前記第１及び第２のリング状の端子は、前記半田メッキ撚線をリング形状に加工して作製される。
【００１４】
（３）によれば、被覆電線に適度な硬さを確保することができ、蛍光管に装着する際の作業を簡略化することができる。また端子に関する構成を簡略化することができる。
【００１５】
（４）  （１）、（２）、又は（３）の点灯停止器具の装着により、直列に接続された２つの蛍光管の１つの点灯が停止される照明装置であって、
前記２つの蛍光管を駆動する駆動部と、
前記駆動部による駆動対象の異常を検出する異常検出部とを備え、
前記異常検出部は、
直列に接続された前記２つの蛍光管の端子電圧の監視により、前記駆動対象を判定し、
前記判定結果に基づいて、前記２つの蛍光管の１の点灯が前記点灯停止器具により停止されている場合と、前記２つの蛍光管の双方の点灯が停止されていない場合とで、判定基準を切り換え、
前記判定基準により前記駆動対象の異常を検出する。
【００１６】
（４）によれば、駆動対象に応じて判定基準を切り換えることにより、直接接続した２つの蛍光管を駆動、点灯する場合でも、１つの蛍光管のみを駆動、点灯する場合でも、適切に判定基準を設定して異常を適切に検出することができる。
【発明の効果】
【００１７】
本発明によれば、部蛍光管の点灯を停止して省エネを図る場合に、従来に比して一段と簡易に省エネを図ることができる。
【図面の簡単な説明】
【００１８】
【図１】本発明の第１実施形態の照明装置を示す図である。
【図２】１灯用アタッチメントを示す図である。
【図３】１灯用アタッチメントの装着状態を示す図である。
【図４】異常検出の設定に係る処置手順を示す図である。
【発明を実施するための形態】
【００１９】
以下、本発明の実施形態について図面を参照しながら説明する。
【００２０】
〔第１実施形態〕
図１は、本発明の第１実施形態に係る照明装置を示すブロック図である。この照明装置１は、例えば事業所の天井に設置される照明装置であり、直管式による蛍光管２Ａ、２Ｂが２本設置される。照明装置１は、この２本の蛍光管２Ａ、２Ｂを直列に接続し、インバータ方式により１つの駆動回路でこれら２本の蛍光管２Ａ、２Ｂを駆動する。またこれら２本の蛍光管２Ａ、２Ｂの１つに、１灯用アタッチメント３を装着して配置することにより、この１灯用アタッチメント３を装着した側の蛍光管２Ａの点灯が停止し、残る１本の蛍光管２Ｂのみ点灯させて照明を提供する。なおここで１灯用アタッチメント３は、蛍光管の点灯を停止させる点灯停止器具である。
【００２１】
ここで図２は、この１灯用アタッチメント３を示す図であり、図３は、この１灯用アタッチメント３を蛍光管２Ａに装着した状態を示す図である。１灯用アタッチメント３は、両端にリング状の端子４、５が設けられ、絶縁材により被覆された被覆電線６により端子４、５が接続される。ここで端子４、５は、図３に示すように、それぞれ蛍光管２Ａの両端に設けられた２つの棒状電極のうちの１方の棒状電極を挿通し、この棒状電極と接続される端子である。なお図３の例では、蛍光管２Ａの手前側端面では、棒状電極７Ａ、７Ｂのうちの棒状電極７Ａが端子４に挿通され、この棒状電極７Ａに端子４が接続されている。またこれとは逆側端では、電極７Ａに対応する電極に端子５が挿通される。
【００２２】
被覆電線６は、このようにして端子４、５を両端の電極に挿通すると、蛍光管２Ａの側面に沿って延長することになる。被覆電線６は、このように端子４、５を両端の電極に挿通した状態で弛みが発生する長さにより作製される。また途中にスプリング９が配置されて、このスプリング９によりスプリング９の両端を接続した被覆電線６の部位が引き寄せられて、スプリング９を配置した箇所に弛みが設けられる。
【００２３】
これらにより１灯用アタッチメント３は、一方の端子４を棒状電極７Ａに挿通した後、スプリング９による弛みを引き伸ばして他方の端子５を逆側端の棒状電極に挿通することにより、蛍光管に簡易に装着することができる。またこのように装着した後には、スプリング９の両端を接続した被覆電線６の部位をスプリング９により引き寄せて被覆電線６の弛みを防止し、蛍光管２Ａの側面に被覆電線６を沿わせて配置する。またさらにはこのスプリング９により、棒状電極に挿通した端子４、５をそれぞれ棒状電極に確実に接触させる。またこのようにスプリングにより被覆電線６に張力を与えていることにより、装着する蛍光管の管径が種々に異なる場合であっても、簡易に装着して蛍光管の装着作業に邪魔にならないようにすることができる。
【００２４】
被覆電線６は、一方の側の端部に偏った部位に、スプリング９の長さより長い間隔で１対の結び目６Ａ、６Ｂが作製される。スプリング９は、両端が円弧形状により折り返され、この折り返された先端をそれぞれ結び目６Ａ、６Ｂに引っ掛けて被覆電線６に配置される。これにより１灯用アタッチメント３は、簡易な構成により作製される。
【００２５】
また被覆電線６は、半田メッキ撚線を絶縁体により被覆した電線が適用され、端子４、５は、被覆電線６の両端の被覆を剥離して半田メッキ撚線を露出させた後、この露出した半田メッキ撚線をそれぞれ円形形状により折り返して根元を半田付けすることにより作製される。これによってもこの１灯用アタッチメント３は、簡易な構成により作製される。また判断メッキ撚線による被覆電線を適用することにより、適度な硬さを確保して蛍光管に沿わせて邪魔にならないように蛍光管に装着することができ、１灯用アタッチメント３を装着したことによる蛍光管を設置する際の作業性の劣化を有効に回避することができる。
【００２６】
照明装置１は（図１）、電圧１００〜２００Ｖの商用電源を電源部１１に入力し、ここで商用電源を整流して直流電源を生成する。またこの直流電源を昇圧してインバータ方式による駆動に適した直流電圧を生成する。インバータ駆動部１２は、この電源部１１で生成した直流電圧を使用してインバータ方式により蛍光管２Ａ、２Ｂを駆動する。
【００２７】
すなわち照明装置１は、ＣＰＵ１３の制御により動作する駆動回路（ＣＰＵ１３に内蔵されている）によりヒータ用トランス１４の一次巻き線にヒータ駆動用の駆動信号を供給する。ここでヒータ用トランス１４は、３系統の２次巻き線が設けられ、その２次巻き線の１系統が蛍光管２Ｂの一方のヒータに接続される。また蛍光管２Ｂの残りのヒータと、蛍光管２Ａの１方のヒータとが直列に接続され、このヒータによる直列回路に残る１系統の２次巻き線が接続される。また蛍光管２Ａの残りのヒータが残る１系統の２次巻き線に接続される。これらにより照明装置１では、ＣＰＵ１３による制御により蛍光管２Ａ、２Ｂのヒータが駆動され、さらに蛍光管２Ａ、２Ｂが直列に接続される。
【００２８】
照明装置１では、この蛍光管２Ａ、２Ｂによる直列回路の一端が接地され、この直列回路に並列に共振用コンデンサＣが配置される。また共振用コイルＬを介してこの直列回路のホット側端がインバータ駆動部１２に接続される。ここでインバータ駆動部１２は、ＣＰＵ１３の制御により共振用コンデンサＣ及び共振用コイルＬによる直列回路の共振周波数で、電源部１１から出力される直流電圧を共振用コイルＬの一端に間欠的に供給し、これによりインバータ方式により蛍光管２Ａ、２Ｂを駆動する。
【００２９】
照明装置１は、蛍光管２Ａ、２Ｂによる直列回路の端子電圧を分圧抵抗Ｒ１、Ｒ２により分圧してＣＰＵ１３に入力する。ＣＰＵ１３は、所定の処理手順の実行によりこの照明装置１の動作を制御する。すなわちＣＰＵ１３は、商用電源の供給が開始されると、動作を立ち上げ、ヒータ用トランス１４の駆動を開始する。またインバータ駆動部１２の動作を開始させ、分圧抵抗Ｒ１、Ｒ２を介して検出される分圧電圧の変化によりインバータ駆動部１２の動作を制御する。これによりＣＰＵ１３は、インバータ駆動部１２により蛍光管２Ａ、２Ｂを駆動して点灯させる。
【００３０】
ところでこのようにして蛍光管２Ａ、２Ｂを直列に接続して共に点灯させる場合と、一方の蛍光管に１灯用アタッチメント３が装着されて１つの蛍光管のみを点灯させる場合とでは、負荷が異なることになり、これにより共振用コンデンサＣの端子電圧も異なることになる。またこのような照明装置１では、蛍光管２Ａ、２Ｂに代えて蛍光管２Ａ、２Ｂと差し替えることが可能なＬＥＤ照明器具が装着される場合もあり、この場合も負荷が異なることにより共振用コンデンサＣの端子電圧が異なることになる。これによりこの照明装置１では、共振用コンデンサＣにおける端子電圧のピーク電圧に基づいて、負荷を判定する。
【００３１】
また蛍光管２Ａ、２Ｂでは、いわゆるエミ減による劣化する場合がある。このエミ減による劣化では、蛍光管２Ａ、２が整流器として機能するようになり、その結果、この図１の構成では、共振用コンデンサＣのホット側端の直流電位が変化することになる。この直流電圧の変化が大きい場合、蛍光管２Ａ、２Ｂは寿命に近いと判断することができ、ちらつき、照度の低下等が観察されるようになる。
【００３２】
しかしながらこの直流電位の変化は、当然に、蛍光管２Ａ、２Ｂを共に点灯させる場合と、一方の蛍光管に１灯用アタッチメント３が装着されて１つの蛍光管のみを点灯させる場合とでは、相違することになる。
【００３３】
そこでＣＰＵ１３は、負荷の判定結果により判定基準を切り換え、この判定基準により分圧抵抗Ｒ１、Ｒ２による分圧電圧を介して検出される、共振用コンデンサＣのホット側端の直流電位を判定する。またこの判定結果により、直流電位が判定基準より大きい場合、インバータ駆動部１２による駆動を停止制御する。これにより照明装置１では、１灯用アタッチメント３を使用して１つの蛍光管のみを駆動する場合であっても、蛍光管２Ａ、２Ｂを直列に接続して駆動する場合と同様に、適切に寿命を判定して異常の発生を防止する。
【００３４】
図４は、この判定基準の処理に係るＣＰＵ１３の処理手順を示すフローチャートである。ＣＰＵ１３は、動作を開始すると、分圧抵抗Ｒ１、Ｒ２を介して共振用コンデンサＣのホット側端、ピーク電圧を検出し、このピーク電圧により蛍光管２Ａ、２Ｂを直列に接続して駆動する場合か、１灯用アタッチメント３の使用により１つの蛍光管のみを駆動する場合かを判定する（ステップＳＰ１）。またこの判定結果により異常検出のための判定レベルをそれぞれ対応するレベルに設定し（ステップＳＰ２、ＳＰ３）、設定した判定レベルにより直流電位を判定する（ステップＳＰ４）。
【００３５】
以上の構成によれば、蛍光管の両端の棒状電極にそれぞれ挿通される第１及び第２のリング状の端子を、弛みを持たせた被覆電線により接続し、スプリングを配置してこの弛みを解消することにより、従来に比して簡易な構成により、簡易に蛍光管に装着して蛍光管の点灯を停止することができる。これにより従来に比して一段と簡易に省エネを図ることができる。すなわち蛍光管の一端の棒状電極を第１のリング状の端子に挿通した後、スプリングの力に抗して他端の棒状電極を第２のリング状の端子に挿通するだけの作業により、蛍光管の径が種々に異なる場合であっても、蛍光管を短絡させることができる。またこのスプリングによる張力により、被覆電線を蛍光管の側面に密着して沿うように配置することができ、蛍光管の装着に邪魔にならないようにすることができる。
【００３６】
特に、この点灯停止器具である１灯用アタッチメントによれば、わざわざダミーの蛍光管を手配することなく、それまで装着されている蛍光管を利用して、さらには点灯しなくなった蛍光管を利用して、２灯式照明装置を１灯式により使用することができる。従って簡易に省エネを図ることができる。また管径が種々に異なる場合であっても装着することができ、これにより使い勝手を向上することができる。
【００３７】
また被覆電線に作成した結び目を利用してスプリングを配置することにより、構成を簡略化することができる。さらに半田メッキ撚線を絶縁体により被覆した被覆電線を適用して、この被覆電線の両端の処理により第１及び第２のリング状の端子を作成することによっても、構成を簡略化することができる。
【００３８】
またこのような点灯停止器具を使用して蛍光管の点灯を停止するようにして、直列に接続された２つの蛍光管の端子電圧の監視により駆動対象を判定し、この判定結果に基づいて、異常検出の判定基準を切り換えることにより、適切に蛍光管の異常を検出して対応することができる。
【００３９】
〔他の実施形態〕
以上、本発明の実施に好適な具体的な構成を詳述したが、本発明は、本発明の趣旨を逸脱しない範囲で、上述の実施形態の構成を種々に変更することができる。
【００４０】
すなわち上述の実施形態では、蛍光管の直列回路に並列に共振用コンデンサを接続し、共振用コイルを介してインバータ駆動部の出力を供給する場合について述べたが、本発明はこれに限らず、各種方式によるインバータ方式により蛍光管を駆動する場合に広く適用することができる。
【００４１】
また上述の実施形態では、インバータ方式により駆動する場合について述べたが、本発明はこれに限らず、ラピッドスタート方式により駆動する場合にも広く適用することができる。
【００４２】
また上述の実施形態では、被覆電線の両端の処理によりリング状の端子を設ける場合について述べたが、本発明はこれに限らず、端子を別途接続してリング状の端子を設けるようにしてもよい。
【符号の説明】
【００４３】
１  照明装置
２Ａ、２Ｂ  蛍光管
３  １灯用アタッチメント
４、５  端子
６  被覆電線
６Ａ、６Ｂ  結び目
７Ａ、７Ｂ  棒状電極
９  スプリング
１１  電源部
１２  インバータ駆動部
１３  ＣＰＵ
１４  ヒータ用トランス
Ｃ  共振用コンデンサ
Ｌ  共振用コイル
Ｒ１、Ｒ２  分圧抵抗
【図１】
2013089356.tif 000003
【図２】
2013089356.tif 000004
【図３】
2013089356.tif 000005
【図４】
2013089356.tif 000006